(57)【要約】【課題】高硬度で緻密な炭素膜を形成することを可能とし、更なる薄膜化が可能な炭素膜の形成方法を提供する。【解決手段】減圧した成膜室１０１内に炭素を含む原料の気体Ｇを導入し、この気体Ｇを高周波プラズマによりイオン化し、このイオンを用いて基板Ｄの両表面に炭素膜を形成する炭素膜の形成方法であって、高周波プラズマにより原料の気体Ｇをイオン化するプラズマ空間１０６と、イオンを加速させる加速空間１０８とが連続する成膜室１０１内において、基板Ｄを加速空間１０８内に配置し、この状態で加速していないイオン又は加速されたイオンを用いて、基板Ｄの両表面に炭素膜を形成する第１の工程と、第１の工程の後に、第１の工程時よりも反応圧力を下げた状態で、第１の工程時よりも加速度を高めたイオンを用いて、基板Ｄの両表面に炭素膜を形成する第２の工程とを含む。【選択図】図１
2010205323.tif 000002
【特許請求の範囲】
【請求項１】
減圧した成膜室内に炭素を含む原料の気体を導入し、この気体を高周波プラズマによりイオン化し、このイオンを用いて基板の両表面に炭素膜を形成する炭素膜の形成方法であって、
前記高周波プラズマにより原料の気体をイオン化するプラズマ空間と、前記イオンを加速させる加速空間とが連続する成膜室内において、前記基板を前記加速空間内に配置し、この状態で加速していないイオン又は加速されたイオンを用いて、前記基板の両表面に炭素膜を形成する第１の工程と、
前記第１の工程の後に、前記第１の工程時よりも反応圧力を下げた状態で、前記第１の工程時よりも加速度を高めたイオンを用いて、前記基板の両表面に炭素膜を形成する第２の工程とを含むことを特徴とする炭素膜の形成方法。
【請求項２】
第１の工程時における反応圧力を０．５Ｐａ以上とし、前記第２の工程時における反応圧力を０．５Ｐａ未満とすることを特徴とする請求項１に記載の炭素膜の形成方法。
【請求項３】
前記第１の工程において前記基板にバイアス電圧を印加せず、前記第２の工程において前記基板に負のバイアスを印加することを特徴とする請求項１又は２に記載の炭素膜の形成方法。
【請求項４】
前記成膜室内において前記プラズマ空間と前記加速空間とが直線状に連続した空間を形成していることを特徴とする請求項１〜３の何れか１項に記載の炭素膜の形成方法。
【請求項５】
前記加速空間の周囲を囲むように設けられた永久磁石により磁場の印加を行うことを特徴とする請求項１〜４の何れか１項に記載の炭素膜の形成方法。
【請求項６】
前記イオンの加速方向と前記永久磁石による磁力線の方向とがほぼ平行となるように磁場の印加を行うことを特徴とする請求項５に記載の炭素膜の形成方法。
【請求項７】
請求項１〜６の何れか一項に記載の炭素膜の形成方法を用いて、少なくとも磁性層が形成された非磁性基板の上に炭素膜を形成することを特徴とする磁気記録媒体の製造方法。
【発明の詳細な説明】
【技術分野】
【０００１】
本発明は、高周波プラズマによりイオン化した炭素イオンを用いて円盤状の基板の両表面に炭素膜を形成する炭素膜の形成方法、並びにそのような炭素膜の形成方法を用いた磁気記録媒体の製造方法に関する。
【背景技術】
【０００２】
近年、ハードディスクドライブ（ＨＤＤ）等に用いられる磁気記録媒体の分野では、記録密度の向上が著しく、最近では記録密度が１０年間で１００倍程度と、驚異的な速度で伸び続けている。このような記録密度の向上を支える技術は多岐にわたるが、キーテクノロジーの一つとして、磁気ヘッドと磁気記録媒体との間における摺動特性の制御技術を挙げることができる。
【０００３】
例えば、ウインテェスター様式と呼ばれる、磁気ヘッドの起動から停止までの基本動作を磁気記録媒体に対して接触摺動−浮上−接触摺動としたＣＳＳ（接触起動停止）方式がハードディスクドライブの主流となって以来、磁気記録媒体上での磁気ヘッドの接触摺動は避けることのできないものとなっている。
【０００４】
このため、磁気ヘッドと磁気記録媒体との間のトライボロジーに関する問題は、宿命的な技術課題となって現在に至っており、磁気記録媒体の磁性膜上に積層される保護膜を改善する努力が営々と続けられていると共に、この媒体表面における耐摩耗性及び耐摺動性が、磁気記録媒体の信頼性向上の大きな柱となっている。
【０００５】
磁気記録媒体の保護膜としては、様々な材質からなるものが提案されているが、成膜性や耐久性等の総合的な見地から、主に炭素膜が採用されている。また、この炭素膜の硬度、密度、動摩擦係数等は、磁気記録媒体のＣＳＳ特性、あるいは耐コロージョン特性に如実に反映されるため、非常に重要である。
【０００６】
一方、磁気記録媒体の記録密度の向上を図るためには、磁気ヘッドの飛行高さ（フライングハイト）の低減、媒体回転数の増加等を行うことが好ましい。したがって、磁気記録媒体の表面に形成される保護膜には、磁気ヘッドの偶発的な接触等に対応するため、より高い摺動耐久性や平坦性が要求されるようになってきている。加えて、磁気記録媒体と磁気ヘッドとのスペーシングロスを低減して記録密度を高めるためには、保護膜の厚さをできるだけ薄く、例えば３０Å以下の膜厚にすることが要求されるようになってきており、平滑性は勿論のこと、薄く、緻密で且つ強靭な保護膜が強く求められている。
【０００７】
また、上述した磁気記録媒体の保護膜に用いられる炭素膜は、スパッタリング法やＣＶＤ法、イオンビーム蒸着法等によって形成される。このうち、スパッタリング法で形成した炭素膜は、例えば１００Å以下の膜厚とした場合に、その耐久性が不十分となることがある。一方、ＣＶＤ法で形成した炭素膜は、その表面の平滑性が低く、膜厚を薄くした場合に、磁気記録媒体の表面の被覆率が低下して、磁気記録媒体のコロージョンが発生する場合がある。一方、イオンビーム蒸着法は、上述したスパッタリング法やＣＶＤ法に比べて、高硬度で平滑性が高く、緻密な炭素膜を形成することが可能である。
【０００８】
イオンビーム蒸着法による炭素膜の形成方法としては、例えば、真空雰囲気下の成膜室内で、加熱されたフィラメント状カソードとアノードとの間の放電により成膜原料ガスをプラズマ状態とし、これをマイナス電位の基板表面に加速衝突させることにより、硬度の高い炭素膜を安定して成膜する方法が提案されている（特許文献１を参照。）。
【０００９】
また、偏向電極を用いて加速したカーボンイオンを用いる、プラズマＣＶＤ法による炭素保護膜の形成方法が提案されている（特許文献２を参照。）。具体的に、この特許文献２には、保護膜を第１の保護膜と第２の保護膜との２層構造とし、第１の保護膜形成時の基板バイアス値を第２の保護膜形成時の基板バイアス値よりも小さくし、第１の保護膜形成時の基板バイアス値を負電圧で０Ｖ以上８０Ｖ未満とすることが記載されている。
【００１０】
これにより、保護膜材料のイオンが磁性層表面に堆積する際に、磁性層表面に与える物理的ダメージや、磁性層及び保護膜を構成する材料が化学的に結合して形成される界面混合層の発生を抑制又は防止し、薄膜化が可能で、耐蝕性及び耐久性に優れた保護膜が形成できる旨が記載されている。
【先行技術文献】
【特許文献】
【００１１】
【特許文献１】特開２０００−２２６６５９号公報
【特許文献２】特開２００５−１５８０９２号公報
【発明の概要】
【発明が解決しようとする課題】
【００１２】
ところで、磁気記録媒体の記録密度を更に向上させるためには、上述した炭素膜を今まで以上に薄膜化することが求められる。しかしながら、上記特許文献１に記載された方法では、フィラメントの温度を高め、アノード電流を高め、また、イオンの加速電圧を高めることにより、炭素膜の硬度等を高めることは可能であるものの、自ずと限界があり、ある値以上にアノード電流等を高めても成膜される炭素膜の特性の向上を図ることはできない。加えて、アノード電流を過度に高めた場合には、励起空間において異常放電が発生し、成膜する炭素膜の膜厚が不均一となったり、フィラメントが断線したりするなどの問題が発生してしまう。さらに、フィラメントの温度を過度に高めた場合には、フィラメントが断線したり、フィラメント材料が蒸発したりして、炭素膜に混入してしまう虞もある。
【００１３】
また、特許文献２に記載されているように、炭素膜を２層構造とし、第１の炭素膜を形成する際の磁性層表面に与える物理的ダメージを低減し、炭素膜を薄膜化する方法もあるが、この方法の場合、第１層目の炭素膜を如何に平滑で緻密に成膜し、第２層目の炭素膜の硬度を高め、また膜の均質性を高めるかが課題となっている。
【００１４】
本発明は、このような課題に鑑みて提案されたものであり、高硬度で緻密な炭素膜を形成することを可能とし、更なる薄膜化が可能な炭素膜の形成方法を提供することを目的とする。
また、本発明は、そのような方法を用いて形成される炭素膜を磁気記録媒体の保護層に用いることによって、耐摩耗性、耐コロージョン性に優れた磁気記録媒体を得ることを可能とした磁気記録媒体の製造方法を提供することを目的とする。
【課題を解決するための手段】
【００１５】
本発明者は、上記課題を解決すべく鋭意研究を行ったところ、減圧した成膜室内で炭素を含む原料気体を高周波プラズマにより励起分解し、これによって生じた炭素イオンを用いて基板の両表面に炭素膜を形成するに際し、先ず、基板上に高ガス圧で低加速のイオンを用いて、緻密で平滑性の高い炭素膜を形成し、その後、低ガス圧で高加速のイオンを用いて、高硬度で均質性の高い炭素膜を形成することにより、密着性が高く、緻密で高硬度の炭素膜が形成できることを見出し本発明を完成するに至った。
【００１６】
すなわち、本発明は、以下の手段を提供する。
（１）  減圧した成膜室内に炭素を含む原料の気体を導入し、この気体を高周波プラズマによりイオン化し、このイオンを用いて基板の両表面に炭素膜を形成する炭素膜の形成方法であって、
前記高周波プラズマにより原料の気体をイオン化するプラズマ空間と、前記イオンを加速させる加速空間とが連続する成膜室内において、前記基板を前記加速空間内に配置し、この状態で加速していないイオン又は加速されたイオンを用いて、前記基板の両表面に炭素膜を形成する第１の工程と、
前記第１の工程の後に、前記第１の工程時よりも反応圧力を下げた状態で、前記第１の工程時よりも加速度を高めたイオンを用いて、前記基板の両表面に炭素膜を形成する第２の工程とを含むことを特徴とする炭素膜の形成方法。
（２）  第１の工程時における反応圧力を０．５Ｐａ以上とし、前記第２の工程時における反応圧力を０．５Ｐａ未満とすることを特徴とする前項（１）に記載の炭素膜の形成方法。
（３）  前記第１の工程において前記基板にバイアス電圧を印加せず、前記第２の工程において前記基板に負のバイアスを印加することを特徴とする前項（１）又は（２）に記載の炭素膜の形成方法。
（４）  前記成膜室内において前記プラズマ空間と前記加速空間とが直線状に連続した空間を形成していることを特徴とする前項（１）〜（３）の何れか１項に記載の炭素膜の形成方法。
（５）  前記加速空間の周囲を囲むように設けられた永久磁石により磁場の印加を行うことを特徴とする前項（１）〜（４）の何れか１項に記載の炭素膜の形成方法。
（６）  前記イオンの加速方向と前記永久磁石による磁力線の方向とがほぼ平行となるように磁場の印加を行うことを特徴とする前項（５）に記載の炭素膜の形成方法。
（７）  前項（１）〜（６）の何れか一項に記載の炭素膜の形成方法を用いて、少なくとも磁性層が形成された非磁性基板の上に炭素膜を形成することを特徴とする磁気記録媒体の製造方法。
【発明の効果】
【００１７】
本発明によれば、密着性が高く高硬度で緻密な炭素膜を形成することが可能であり、この炭素膜を磁気記録媒体等の保護膜に用いた場合には、炭素膜の膜厚を薄くすることが可能となるため、磁気記録媒体と磁気ヘッドとの距離を狭く設定することが可能となり、その結果、磁気記録媒体の記録密度を高めると共に、磁気記録媒体の耐コロージョン性を高めることが可能である。
【図面の簡単な説明】
【００１８】
【図１】本発明を適用した炭素膜の形成装置を模式的に示す概略構成図である。
【図２】永久磁石が印加する磁場とその磁力線の方向を示す模式図である。
【図３】本発明を適用して製造される磁気記録媒体の一例を示す断面図である。
【図４】本発明を適用して製造される磁気記録媒体の他例を示す断面図である。
【図５】磁気記録再生装置の一例を示す断面図である。
【図６】本発明を適用したインライン式成膜装置の構成を示す平面図である。
【図７】本発明を適用したインライン式成膜装置のキャリアを示す側面図である。
【図８】図７に示すキャリアを拡大して示す側面図である。
【発明を実施するための形態】
【００１９】
以下、本発明の実施の形態について、図面を参照して詳細に説明する。
なお、以下の説明で用いる図面は、特徴をわかりやすくするために、便宜上特徴となる部分を拡大して示している場合があり、各構成要素の寸法比率などが実際と同じであるとは限らない。
【００２０】
先ず、本発明を適用した炭素膜の形成方法及び形成装置について説明する。
図１は、本発明を適用した炭素膜の形成装置を模式的に示す概略構成図である。
この炭素膜の形成装置は、図１に示すように、炭素を含む原料の気体を高周波プラズマにより励起分解し、これによって生じた炭素イオンを用いて円盤状の基板の両表面に炭素膜を形成する成膜装置である。
【００２１】
具体的に、この炭素膜の形成装置は、減圧可能な成膜室１０１と、成膜室１０１内で基板Ｄを保持するホルダ１０２と、成膜室１０１内に炭素を含む原料の気体Ｇを導入する導入管１０３と、成膜室１０１内に配置された高周波電極１０４と、高周波電極１０４に高周波を印加する高周波電源１０５と、高周波電極１０４内において原料の気体Ｇをイオン化するプラズマ空間１０６と、高周波電極１０４と基板Ｄとの間に電位差を与えて、プラズマ空間１０６で発生した炭素イオンを基板Ｄ側へと加速させる加速用電源１０７と、プラズマ空間１０６に連続して炭素イオンが加速される加速空間１０８と、プラズマ空間１０６及び加速空間１０８に磁場を印加する永久磁石１０９とを備えて概略構成されている。
【００２２】
なお、本装置は、実際は成膜室１０１内の基板Ｄを挟んだ両側に炭素膜を形成するための構成を備えているが、図１においては、基板Ｄの片側の面のみに炭素膜を形成する構成を図示するものとする。
【００２３】
成膜室１０１は、チャンバ壁１０１ａによって気密に構成されると共に、真空ポンプ（図示せず。）に接続された排気管１１０を通じて内部を減圧排気することが可能となっている。高周波電源１０５は、高周波電極１０４に接続された電源であり、高周波電極１０４内にプラズマ空間１０６を形成し、このプラズマ空間１０６内で原料の気体Ｇを高周波プラズマにより励起分解し、イオン化する。なお、高周波電源１０５については、日本国内では一般的に１３．５６ＭＨｚの電源が使用されるが、この周波数に限定されず３ＭＨｚ〜３０ＭＨｚの範囲で電源が使用可能である。
【００２４】
以上のような構造を有する炭素膜の形成装置を用いて、基板Ｄの表面に炭素膜を形成する際は、排気管１１０を通じて減圧された成膜室１０１の内部に、導入管１０３を通じて炭素を含む原料の気体Ｇを導入する。この原料の気体Ｇは、高周波電源１０５からの電力の供給により高周波電極１０４に発生した高周波プラズマによって励起分解されてイオン化した気体（炭素イオン）となる。
【００２５】
そして、このプラズマ中で励起された炭素イオンは、加速用電源１０７により高周波電極１０４と基板Ｄとの間に加速電位が加えられている場合は、加速空間１０８で加速される、すなわち加速用電源１０７によりマイナス電位とされた基板Ｄに向かって加速しながら、この基板Ｄの表面に衝突することになる。
【００２６】
一方、加速用電源１０７をゼロ電位とした場合、すなわち加速電位が加えられていない場合は、高周波プラズマによって励起分解された気体は加速空間１０８でほとんど加速されずに基板Ｄに到達し、基板Ｄの表面に炭素膜として析出することになる。
【００２７】
本発明を適用した炭素膜の形成方法は、プラズマ空間１０６と加速空間１０８とが連続する成膜室１０１内において、基板Ｄを加速空間１０８内に配置し、この状態で加速していないイオン又は加速されたイオンを用いて、基板Ｄの両表面に炭素膜を形成する第１の工程と、この第１の工程の後に、第１の工程時よりも反応圧力を下げた状態で、第１の工程時よりも加速度を高めたイオンを用いて、基板Ｄの両表面に炭素膜を形成する第２の工程とを含むことを特徴とする。
【００２８】
具体的に、第１の工程は、基板Ｄ上に密着性が高く緻密で平滑な炭素膜を形成する工程である。すなわち、この第１の工程では、第２の工程時よりも高い反応圧力とすることで高いイオン密度での成膜となる。これにより、核発生密度が高まり、緻密で密着性の高い炭素膜が形成される。また、イオンは加速されていないか、加速されていたとしても、ほとんど加速されていないほど低加速のため、成膜表面にダメージを与えることがなく、緻密で平滑な炭素膜を形成することができる。
【００２９】
一方、第２の工程は、第１の工程で形成された炭素膜の表面に、高硬度で、密度が高く、平坦性の高い炭素膜を形成する工程である。すなわち、第２の工程では、第１の工程時によりも低い反応圧力とし、第１の工程時よりもイオンの加速度を高めて炭素膜の成膜を行うため、炭素イオンのエネルギーが高まり、高硬度で、密度が高い炭素膜が形成される。また、反応圧力を下げることによって、炭素イオンの平均自由行路が長くなり、広い面積で炭素膜の均質性が高まり、加えて平坦性の高い炭素膜が形成される。
【００３０】
本発明では、第１の工程の反応圧力を０．５Ｐａ以上、より好ましくは、０．５Ｐａ〜１０Ｐａの範囲とする。第１の工程での反応圧力を上記範囲とすることにより、プラズマ空間１０６で形成される炭素イオンの密度が高まり、この高密度の炭素イオンを低い加速度で基板Ｄに到着させるため、密着性が高く、緻密で平滑な炭素膜を形成することができる。
【００３１】
一方、本発明では、第２の工程の反応圧力を０．５Ｐａ未満、より好ましくは０．４Ｐａ〜０．０１Ｐａの範囲とする。第２の工程での反応圧力を上記範囲とすることにより、プラズマ空間１０６で形成される炭素イオンの平均自由工程を長くし、また個々の炭素イオンの運動エネルギーを高めることが可能となるため、高硬度で、密度が高く均質性の高い炭素膜を広い面積に渡って形成することができる。
【００３２】
また、本発明では、第１の工程では基板Ｄにバイアス電圧を印加せず、第２の工程では基板Ｄに負のバイアスを印加することが好ましい。これにより、第１の工程では炭素イオンの加速度を下げて、基板Ｄへの炭素膜の密着性を高めつつ、第２の工程では炭素イオンの運動エネルギーを高めて、炭素膜の硬度及び密度を高めることができる。
【００３３】
また、本発明では、成膜室１０１内においてプラズマ空間１０６と加速空間１０８とが直線状に連続した空間を形成していることが好ましい。一般に、加速空間１０８では、イオン以外の飛行粒子をフィルターリングするため、偏向電極を用いる場合が多い。しかしながら、偏向電極を用いた場合には、加速空間が曲線状となるため、加速されていないイオン又は低加速のイオンを高密度で形成することが困難となる。すなわち、偏向電極を用いた場合は、イオンを通過させるのに、ある程度イオンを加速する必要が生じてしまう。一方、本発明では、プラズマ空間１０６と加速空間１０８とが直線状に連続した空間を形成することによって、加速されていないイオン又は低加速のイオンを高密度で簡便に形成することが可能である。
【００３４】
また、本発明では、基板Ｄのサイズにもよるが、外径３．５インチの円盤状の基板に炭素膜を成膜する場合、高周波電源１０５については、１００Ｗ〜１ｋＷの範囲内の電力を高周波電極１０４に供給することが好ましく、加速用電源１０７については、電圧を０〜５００Ｖの範囲、電流を０〜１Ａの範囲に設定することが好ましい。
【００３５】
また、本発明を適用した炭素膜の成膜方法では、チャンバ壁１０１ａの周囲を囲むように配置された永久磁石１０９によって、プラズマ空間１０６及び加速空間１０８（以下、励起空間という。）に磁場を印加する。
【００３６】
本発明では、炭素イオンを基板Ｄの表面に加速照射又は単に照射するときに、外部から磁場を印加することによって、この基板Ｄの表面に照射される炭素イオンのイオン密度を高めることができる。このように、励起空間内のイオン密度が高められると、この励起空間内の励起力が高められ、より高いエネルギー状態となった炭素イオンを基板Ｄの表面に照射することができ、その結果、基板Ｄの表面に硬度が高く緻密性の高い炭素膜を成膜することが可能となる。
【００３７】
本発明では、上述したプラズマ空間１０６及び加速空間１０８の周囲を囲むように設けられた永久磁石１０９によって成膜室１０１内の励起空間に磁場を印加することができるが、この永久磁石１０９が印加する磁場とその磁力線の方向については、例えば図２（ａ）〜（ｃ）に示すような構成を採用することができる。
【００３８】
すなわち、図２（ａ）に示す構成（図１に示す場合と同様な構成）では、成膜室１０１のチャンバ壁１０１ａの周囲に、Ｓ極が基板Ｄ側、Ｎ極が高周波電極１０４側となるように永久磁石１０９が配置されている。この構成の場合、永久磁石１０９によって生ずる磁力線Ｍは、成膜室１０１の中央付近においては、イオンビームＢの加速方向とほぼ平行となる。成膜室１０１内の磁力線Ｍの方向をこのような方向に設定することにより、励起空間における炭素イオンを、その磁気モーメントにより成膜室１０１内の中央付近に集中させ、この励起空間内のイオン密度を効率良く高めることが可能である。
【００３９】
一方、図２（ｂ）に示す構成では、成膜室１０１のチャンバ壁１０１ａの周囲に、Ｓ極が高周波電極１０４側、Ｎ極が基板Ｄ側となるように永久磁石１０９が配置されている。一方、図２（ｃ）に示す構成では、成膜室１０１のチャンバ壁１０１ａの周囲に、Ｎ極とＳ極との向きを内周側と外周側とで交互に入れ替えた複数の永久磁石１０９が配置されている。何れの場合も、永久磁石１０９によって生ずる磁力線Ｍは、成膜室１０１の中央付近においては、イオンビームＢの加速方向とほぼ平行となり、これにより励起空間内のイオン密度を効率良く高めることが可能である。
【００４０】
また、本発明を適用した炭素膜の形成方法では、炭素を含む原料の気体Ｇとして、例えば炭化水素を含むものを用いることができる。炭化水素としては、低級飽和炭化水素、低級不飽和炭化水素、低級環式炭化水素のうち何れか１種又は２種以上の低炭素炭化水素を用いることが好ましい。なお、ここでいう低級とは、炭素数が１〜１０の場合を指す。
【００４１】
このうち、低級飽和炭化水素としては、メタン、エタン、プロパン、ブタン、オクタン等を用いることができる。一方、低級不飽和炭化水素としては、イソプレン、エチレン、プロピレン、ブチレン、ブタジエン等を用いることができる。一方、低級環式炭化水素としては、ベンゼン、トルエン、キシレン、スチレン、ナフタレン、シクロヘキサン、シクロヘキサジエン等を用いることができる。
【００４２】
本発明において、低級炭化水素を用いることが好ましいとしたのは、炭化水素の炭素数が上記範囲を越えると、導入管１０３から気体として供給することが困難となることに加え、放電時の炭化水素の分解が進行しににくくなり、炭素膜が強度に劣る高分子成分を多く含むものとなるためである。
【００４３】
さらに、本発明では、成膜室１０１内でのプラズマの発生を誘発するため、炭素を含む原料の気体Ｇに、不活性ガスや水素ガスなどを含有させた混合ガス等を用いることが好ましい。この混合ガスにおける炭化水素と不活性ガス等との混合割合は、炭化水素：不活性ガスを２：１〜１：１００（体積比）の範囲に設定することが好ましく、これにより、高硬度の耐久性の高い炭素膜を形成することができる。
【００４４】
以上のように、本発明では、密着性が高く高硬度で緻密な炭素膜を形成することが可能であり、この炭素膜を磁気記録媒体等の保護膜に用いた場合には、炭素膜の膜厚を薄くすることが可能となるため、磁気記録媒体と磁気ヘッドとの距離を狭く設定することが可能となり、その結果、磁気記録媒体の記録密度を高めると共に、磁気記録媒体の耐コロージョン性を高めることが可能である。
【００４５】
次に、本発明を適用した磁気記録媒体の製造方法について説明する。
本実施形態では、複数の成膜室の間で成膜対象となる基板を順次搬送させながら成膜処理を行うインライン式成膜装置を用いて、ハードディスク装置に搭載される磁気記録媒体を製造する場合を例に挙げて説明する。
【００４６】
本発明を適用して製造される磁気記録媒体は、例えば図３に示すように、非磁性基板８０の両面に、軟磁性層８１、中間層８２、記録磁性層８３及び保護層８４が順次積層された構造を有し、更に最表面に潤滑膜８５が形成されてなる。また、軟磁性層８１、中間層８２及び記録磁性層８３によって磁性層８１０が構成されている。
【００４７】
そして、この磁気記録媒体では、保護層８４として、上記本発明を適用した炭素膜の形成方法を用いて、高硬度で緻密な炭素膜が形成されている。この場合、磁気記録媒体では、炭素膜の膜厚を薄くすることが可能であり、具体的には炭素膜の膜厚を２ｎｍ程度以下とすることが可能である。
【００４８】
したがって、本発明では、このような磁気記録媒体と磁気ヘッドとの距離を狭く設定することが可能となり、その結果、この磁気記録媒体の記録密度を高めると共に、この磁気記録媒体の耐コロージョン性を高めることが可能である。
【００４９】
以下、上記磁気記録媒体の保護層８４以外の各層について説明する。
非磁性基板８０としては、Ａｌを主成分とした例えばＡｌ−Ｍｇ合金等のＡｌ合金基板や、通常のソーダガラス、アルミノシリケート系ガラス、結晶化ガラス類、シリコン、チタン、セラミックス、各種樹脂からなる基板など、非磁性基板であれば任意のものを用いることができる。
【００５０】
その中でも、Ａｌ合金基板や、結晶化ガラス等のガラス製基板、シリコン基板を用いることが好ましく、また、これら基板の平均表面粗さ（Ｒａ）は、１ｎｍ以下であることが好ましく、さらに好ましくは０．５ｎｍ以下であり、その中でも特に０．１ｎｍ以下であることが好ましい。
【００５１】
磁性層８１０は、面内磁気記録媒体用の面内磁性層でも、垂直磁気記録媒体用の垂直磁性層でもかまわないが、より高い記録密度を実現するためには垂直磁性層が好ましい。また、磁性層８１０は、主としてＣｏを主成分とする合金から形成するのが好ましい。例えば、垂直磁気記録媒体用の磁性層８１０としては、例えば軟磁性のＦｅＣｏ合金（ＦｅＣｏＢ、ＦｅＣｏＳｉＢ、ＦｅＣｏＺｒ、ＦｅＣｏＺｒＢ、ＦｅＣｏＺｒＢＣｕなど）、ＦｅＴａ合金（ＦｅＴａＮ、ＦｅＴａＣなど）、Ｃｏ合金（ＣｏＴａＺｒ、ＣｏＺｒＮＢ、ＣｏＢなど）等からなる軟磁性層８１と、Ｒｕ等からなる中間層８２と、６０Ｃｏ−１５Ｃｒ−１５Ｐｔ合金や７０Ｃｏ−５Ｃｒ−１５Ｐｔ−１０ＳｉＯ２合金からなる記録磁性層８３とを積層したものを利用できる。また、軟磁性層８１と中間層８２との間にＰｔ、Ｐｄ、ＮｉＣｒ、ＮｉＦｅＣｒなどからなる配向制御膜を積層してもよい。一方、面内磁気記録媒体用の磁性層８１０としては、非磁性のＣｒＭｏ下地層と強磁性のＣｏＣｒＰｔＴａ磁性層とを積層したものを利用できる。
【００５２】
磁性層８１０の全体の厚さは、３ｎｍ以上２０ｎｍ以下、好ましくは５ｎｍ以上１５ｎｍ以下とし、磁性層８１０は使用する磁性合金の種類と積層構造に合わせて、十分なヘッド出入力が得られるように形成すればよい。磁性層８１０の膜厚は、再生の際に一定以上の出力を得るにはある程度以上の磁性層の膜厚が必要であり、一方で記録再生特性を表す諸パラメーターは出力の上昇とともに劣化するのが通例であるため、最適な膜厚に設定する必要がある。
【００５３】
潤滑膜８５に用いる潤滑剤としては、パーフルオロエーテル（ＰＦＰＥ）等の弗化系液体潤滑剤、脂肪酸等の固体潤滑剤を用いることができ。通常は１〜４ｎｍの厚さで潤滑層８５を形成する。潤滑剤の塗布方法としては、ディッピング法やスピンコート法など従来公知の方法を使用すればよい。
【００５４】
また、本発明を適用して製造される他の磁気記録媒体としては、例えば図４に示すように、上記記録磁性層８３に形成された磁気記録パターン８３ａが非磁性領域８３ｂによって分離されてなる、いわゆるディスクリート型の磁気記録媒体であってもよい。
【００５５】
また、ディスクリート型の磁気記録媒体については、磁気記録パターン８３ａが１ビットごとに一定の規則性をもって配置された、いわゆるパターンドメディアや、磁気記録パターン８３ａがトラック状に配置されたメディア、その他、磁気記録パターン８３ａがサーボ信号パターン等を含んでいてもよい。
【００５６】
このようなディスクリート型の磁気記録媒体は、記録磁性層８３の表面にマスク層を設け、このマスク層に覆われていない箇所を反応性プラズマ処理やイオン照射処理等に曝すことによって記録磁性層８３の一部を磁性体から非磁性体に改質し、非磁性領域８３ｂを形成することにより得られる。
【００５７】
また、上記磁気記録媒体を用いた磁気記録再生装置としては、例えば図５に示すようなハードディスク装置を挙げることができる。このハードディスク装置は、上記磁気記録媒体である磁気ディスク９６と、磁気ディスク９６を回転駆動させる媒体駆動部９７と、磁気ディスク９６に情報を記録再生する磁気ヘッド９８と、ヘッド駆動部９９と、記録再生信号処理系１００とを備えている。そして、磁気再生信号処理系１００は、入力されたデータを処理して記録信号を磁気ヘッド９８に送り、磁気ヘッド９８からの再生信号を処理してデータを出力する。
【００５８】
上記磁気記録媒体を製造する際は、例えば図６に示すようなインライン式成膜装置（磁気記録媒体の製造装置）を用いて、成膜対象となる非磁性基板８０の両面に、少なくとも軟磁性層８１、中間層８２及び記録磁性層８３からなる磁性層８１０と、保護層８４とを順次積層する。これにより、保護層８４として密着性が高く高硬度で緻密な炭素膜を備えた上記磁気記録媒体を安定して製造することができる。
【００５９】
具体的に、このインライン式成膜装置は、ロボット台１と、ロボット台１上に截置された基板カセット移載ロボット３と、ロボット台１に隣接する基板取付けロボット室２と、基板取付けロボット室２内に配置された基板取付けロボット３４と、基板取付けロボット室２に隣接する基板取付け室５２と、キャリア２５を回転させるコーナー室４、７、１４、１７と、各コーナー室４、７、１４、１７の間に配置された複数のチャンバ５、６、８〜１３、１５、１６、１８〜２０と、基板取付け室５２と基板取外し室５３との間に配置されたアッシング室３Ａと、アッシング室３Ａに隣接して配置された基板取外し室５３と、基板取外し室５３に隣接して配置された基板取外しロボット室２２と、基板取外しロボット室２２内に設置された基板取外しロボット４９と、これら各室の間で搬送される複数のキャリア２５とを有して概略構成されている。
【００６０】
また、各室の接続部には、ゲートバルブ５５〜７２が設けられ、これらゲートバルブ５５〜７２が閉状態のとき、各室内は、それぞれ独立の密閉空間となる。また、各室には、それぞれ真空ポンプ（図示せず。）が接続されており、これらの真空ポンプの動作によって減圧可能となっている。また、各コーナー室４、７、１４、１７には、キャリア２５の移動方向を変更するため、キャリア２５を回転させて次のチャンバに移動させる機構が設けられている。
【００６１】
基板カセット移載ロボット３は、成膜前の非磁性基板８０が収納されたカセットから、基板取付け室２に非磁性基板８０を供給するとともに、基板取外しロボット室２２で取り外された成膜後の非磁性基板８０（磁気記録媒体）を取り出す。この基板取付け・取外しロボット室２、２２の一側壁には、外部に開放された開口を開閉する扉５１、５４が設けられている。
【００６２】
基板取付け室５２の内部では、基板取付けロボット３４を用いて成膜前の非磁性基板８０がキャリア２５に保持される。一方、基板取外し室５３の内部では、基板取外しロボット４９を用いて、キャリア２５に保持された成膜後の非磁性基板８０（磁気記録媒体）が取り外される。
【００６３】
このインライン式成膜装置は、減圧状態となされた各室内で、搬送機構（図示せず。）によりキャリア２５を順次搬送させながら、各室内において、キャリア２５に装着された非磁性基板８０の両面に、上述した軟磁性層８１、中間層８２及び記録磁性層８３、及び保護層８４を順次成膜することによって、最終的に上記図３に示す磁気記録媒体が得られるように構成されている。
【００６４】
具体的に、チャンバ５、６、８〜１３、１５、１６、１８〜２０のうち、処理チャンバ５、６、８〜１３、１５、１６によって、上記磁性層８１０を形成するための複数の成膜室が構成されている。これら成膜室は、非磁性基板８０の両面に、上述した軟磁性層８１、中間層８２及び記録磁性層８３を形成する機構を備えている。
【００６５】
一方、チャンバ１８〜２０によって保護層８４を形成するための成膜室が構成されている。これら成膜室は、上記図１に示す炭素膜の形成装置と同様の装置構成を備え、上記磁性層８１０が形成された非磁性基板８０の表面に、保護層８４として、上述した密着性が高く高硬度で緻密な炭素膜を形成する。
【００６６】
なお、上記図４に示す磁気記録媒体を製造する場合は、更に、マスク層をパターニングするパターニングチャンバや、記録磁性層８３のうち、パターンニング後のマスク層によって覆われていない箇所に対し、反応性プラズマ処理又はイオン照射処理を行い、記録磁性層８３の一部を磁性体から非磁性体に改質することによって、非磁性領域８３ｂによって分離された磁気記録パターン８３ｂを形成する改質チャンバ、マスク層を除去する除去チャンバを追加した構成とすればよい。
【００６７】
また、各チャンバ５、６、８〜１３、１５、１６、１８〜２０には、処理用ガス供給管が設けられ、供給管には、図示しない制御機構によって開閉が制御されるバルブが設けられ、これらバルブ及びポンプ用ゲートバルブを開閉操作することにより、処理用ガス供給管からのガスの供給、チャンバ内の圧力およびガスの排出が制御される。
【００６８】
キャリア２５は、図７及び図８に示すように、支持台２６と、支持台２６の上面に設けられた複数の基板装着部２７とを有している。なお、本実施形態では、基板装着部２７を２基搭載した構成のため、これら基板装着部２７に装着される２枚の非磁性基板８０を、それぞれ第１成膜用基板２３及び第２成膜用基板２４として扱うものとする。
【００６９】
基板装着部２７は、第１及び第２成膜用基板２３，２４の厚さの１〜数倍程度の厚さを有する板体２８に、これら成膜用基板２３、２４の外周より若干大径となされた円形状の貫通穴２９が形成されて構成され、貫通穴２９の周囲には、該貫通穴２９の内側に向かって突出する複数の支持部材３０が設けられている。この基板装着部２７には、貫通穴２９の内部に第１及び第２成膜用基板２３、２４が嵌め込まれ、その縁部に支持部材３０が係合することによって、これら成膜用基板２３、２４が縦置き（基板２３，２４の主面が重力方向と平行となる状態）に保持される。すなわち、この基板装着部２７は、キャリア２５に装着された第１及び第２成膜用基板２３、２４の主面が支持台２６の上面に対して略直交し、且つ、略同一面上となるように、支持台２６の上面に並列して設けられている。
【００７０】
また、上述した処理チャンバ５、６、８〜１３、１５、１６、１８〜２０には、キャリア２５を挟んだ両側に２つの処理装置がある。この場合、例えば、図７中の実線で示す第１処理位置にキャリア２５が停止した状態において、このキャリア２５の左側の第１成膜用基板２３に対して成膜処理等を行い、その後、キャリア２５が図７中の破線で示す第２処理位置に移動し、この第２処理位置にキャリア２５が停止した状態において、キャリア２５の右側の第２成膜用基板２４に対して成膜処理等を行うことができる。
【００７１】
なお、キャリア２５を挟んだ両側に、それぞれ第１及び第２成膜用基板２３、２４に対向した４つの処理装置がある場合は、キャリア２５の移動は不要となり、キャリア２５に保持された第１及び第２成膜用基板２３、２４に対して同時に成膜処理等を行うことができる。
【００７２】
成膜後は、第１及び第２成膜用基板２３、２４をキャリア２５から取り外し、炭素膜が堆積したキャリア２５のみをアッシング室３Ａ内へと搬送する。そして、このアッシング室３Ａの任意の箇所から酸素ガスを導入し、この酸素ガスを用いてアッシング室３Ａ内に酸素プラズマを発生させる。酸素プラズマは、キャリア２５の表面に堆積した炭素膜に接触すると、この炭素膜をＣＯやＣＯ２ガスに分解して除去する。キャリア２５のアッシングを行った後は、キャリア２５を基板取付け室５２へと搬送させる。
【実施例】
【００７３】
以下、実施例により本発明の効果をより明らかなものとする。なお、本発明は、以下の実施例に限定されるものではなく、その要旨を変更しない範囲で適宜変更して実施することができる。
【００７４】
（実施例１）
実施例１では、先ず、非磁性基板としてＮｉＰめっきが施されたアルミニウム基板を用意した。次に、上記図６に示すインライン式成膜装置を用いて、Ａ５０５２アルミ合金製のキャリアに装着された非磁性基板の両面に、膜厚６０ｎｍのＦｅＣｏＢからなる軟磁性層と、膜厚１０ｎｍのＲｕからなる中間層と、膜厚１５ｎｍの７０Ｃｏ−５Ｃｒ−１５Ｐｔ−１０ＳｉＯ２合金からなる記録磁性層とを順次積層することによって磁性層を形成した。次に、キャリアに装着された非磁性基板を上記図１に示す成膜装置と同様の装置構成を備えるチャンバに搬送し、この磁性層が形成された非磁性基板の両面に炭素膜からなる保護層を形成した。
【００７５】
具体的に、チャンバは、外径が１８０ｍｍ、長さが２５０ｍｍの円筒形状を有し、このチャンバを構成するチャンバ壁の材質はＳＵＳ３０４である。チャンバ内には、材質がＳＵＳ３０４であり、長さ約１００ｍｍ、直径約１３０ｍｍの円筒状の高周波電極が配置され、この高周波電極を１３．５６ＭＨｚの高周波電源に接続した。さらに、チャンバ壁の周囲を囲む円筒状の永久磁石を配置した。この永久磁石は、内径が１８５ｍｍ、長さが４０ｍｍであり、その中心が加速空間の中央に位置するように、なお且つＳ極が基板側、Ｎ極が高周波電極側となるように配置した。
【００７６】
原料ガスについては、メタンを用いた。そして、炭素膜の成膜条件については、反応圧力を０．８Ｐａ、高周波電力を５００Ｗ、イオンの加速電圧を０Ｖとし、成膜時間を３秒間、成膜する炭素膜の膜厚を１．５ｎｍとした。その後、反応圧力を０．３Ｐａ、イオンの加速電圧を２００Ｖ、電流を０．５Ａとし、成膜時間を３秒間、成膜する炭素膜の膜厚を１．５ｎｍとし、最終的に膜厚３．０ｎｍの炭素膜を成膜した。
【００７７】
（比較例１）
比較例１では、炭素膜の形成に際して、反応圧力を変えず、反応圧力を０．８Ｐａで一定にして２段の成膜を行い、膜厚３ｎｍの炭素膜を形成した以外は、実施例１と同様の条件で磁気記録媒体を製造した。
【００７８】
（比較例２）
比較例２では、炭素膜の形成に際して、最初からイオンの加速電圧を印加して２段の成膜を行い、膜厚３ｎｍの炭素膜を形成した以外は、実施例１と同様の条件で磁気記録媒体を製造した。
【００７９】
（比較例３）
比較例３では、炭素膜の形成に際して、反応圧力を０．８Ｐａで一定とし、イオンの加速電圧を印加せずに、６秒間の成膜を行い、膜厚３ｎｍの炭素膜を形成した以外は、実施例１と同様の条件で磁気記録媒体を製造した。
【００８０】
（磁気記録媒体の評価）
そして、これら実施例１及び比較例１〜３の磁気記録媒体に対して、ラマン分光測定、スクラッチ試験、及びコロージョン試験を実施した。
ラマン分光測定については、堀場製作所製のラマン分光装置を用いて、Ｂ／Ａの測定を行った。ここで、Ｂ／Ａとは、ラマンスペクトルのピーク強度をＢ値、ベースライン補正を行ったときのピーク強度をＡ値として算出される値である。このＢ／Ａの値が小さいほど、炭素膜中のポリマー成分が少なく、硬質の炭素膜であることを示す。
スクラッチ試験については、クボタ社製のＳＡＦテスターを用いて行った。試験条件は、磁気記録媒体を１２０００ｒｐｍで回転させ、ＰＰ６ヘッドを用いて、ディスク表面を２時間、５インチ／秒の速度でシーク動作を繰り返し、その後、光学顕微鏡でスクラッチの有無を確認した。
コロージョン試験については、磁気記録媒体を９０℃、湿度９０％の環境下に９６時間放置した後、磁気記録媒体の表面に発生したコロージョンスポットの個数を光学式表面検査機でカウントした。
【００８１】
そして、これら実施例１及び比較例１〜３の磁気記録媒体について、ラマン分光測定、スクラッチ試験、及びコロージョン試験による測定結果を表１に示す。
【００８２】
【表１】
2010205323.tif 000003
【００８３】
表１に示すラマン分光測定の結果から、本発明の成膜装置を用いた場合には、Ｂ／Ａの低い炭素膜が得られることがわかった。すなわち、本発明を用いて製造される磁気記録媒体の炭素膜は、ｓｐ３成分の多い硬質の炭素膜であることが明らかとなった。
【００８４】
また、表１に示すスクラッチ試験の結果から、本発明の成膜装置を用いた場合には、炭素膜を薄膜化してもスクラッチが発生しにくい硬質の炭素膜が得られることがわかった。
【００８５】
さらに、表１に示すコロージョン試験の結果から、本発明の成膜装置を用いた場合には、炭素膜を薄膜化してもコロージョンの発生が緩和されることがわかった。すなわち、本発明を用いて製造される磁気記録媒体の炭素膜は、緻密で耐食性の高い炭素膜であることが明らかとなった。
【符号の説明】
【００８６】
１…基板カセット移載ロボット台
２…基板供給ロボット室
３…基板カセット移載ロボット
３Ａ…アッシング室
４、７、１４、１７…コーナー室
５、６、８〜１３、１５、１６、１８〜２０…チャンバ
２２…基板取外しロボット室
２３…第１成膜用基板
２４…第２成膜用基板
２５…キャリア
２６…支持台
２７…基板装着部
２８…板体
２９…円形状の貫通穴
３０…支持部材
３４…基板供給ロボット
４９…基板取外しロボット
５２…基板取付け室
５３…基板取外し室
８０…非磁性基板
８１…軟磁性層
８２…中間層
８３…記録磁性層
８４…保護層
８５…潤滑膜
８１０…磁性層
１０１…成膜室
１０２…ホルダ
１０３…導入管
１０４…高周波電極
１０５…高周波電源
１０６…プラズマ空間
１０７…加速用電源
１０８…加速空間
１０９…永久磁石
１１０…排気管
【図１】
2010205323.tif 000004
【図２】
2010205323.tif 000005
【図３】
2010205323.tif 000006
【図４】
2010205323.tif 000007
【図５】
2010205323.tif 000008
【図６】
2010205323.tif 000009
【図７】
2010205323.tif 000010
【図８】
2010205323.tif 000011